(57)【要約】【課題】各種の情報をより視認性が高くリッチなカラー表示で提供することができ、かつ、電力の消費を抑制して駆動時間を改善することができる表示装置、並びに、当該表示装置を備えた電子機器及びその制御方法、制御プログラムを提供する。【解決手段】電子機器１０は、高反射で簡易なモノクロ画像による表示が可能で、かつ、半透過表示や全透過表示が可能な表示パネル４０Ａと、リッチなカラー画像による表示が可能な表示パネル４０Ｂとを備え、これらが視野側から見て重なるように積層されている。各表示パネル４０Ａ、４０Ｂを制御する独立した演算回路部１７０、２７０が相互に連携かつ同期して各表示パネル４０Ａ、４０Ｂを表示駆動することにより、所望の情報を多様な表示形態で表示する。【選択図】図３
2016059751.tif 000002
【特許請求の範囲】
【請求項１】
表示装置であって、
第１の表示領域を有する第１の表示パネルと、
前記第１の表示パネルの表示状態を制御する第１の演算回路部と、
第２の表示領域を有する第２の表示パネルと、
前記第１の演算回路部と連携して、前記第２の表示パネルの表示状態を制御する第２の演算回路部と、
前記表示装置の空間的な動きを検知する検知部と、
を有し、
前記第１の演算回路部及び前記第２の演算回路部の少なくともいずれか一方は、前記検知部による検知の結果に応じて、前記第１の表示パネルと前記第２の表示パネルとによる表示画像の表示形態を切り替えることを特徴とする表示装置。
【請求項２】
前記第１の表示パネルの前記第１の表示領域と前記第２の表示パネルの前記第２の表示領域とは、利用者の視野側から見て少なくとも一部が互いに重なり合うように配置され、
前記表示形態として、前記第１の表示パネルによる第１の画像のみを表示する第１の表示形態と、前記第２の表示パネルによる第２の画像のみを表示する第２の表示形態と、前記第１の表示パネルによる前記第１の画像と前記第２の表示パネルによる前記第２の画像とを重ね合わせた第３の画像を表示する第３の表示形態と、を有することを特徴とする請求項１に記載の表示装置。
【請求項３】
前記第１の演算回路部及び前記第２の演算回路部は、
前記検知部により前記第１の表示パネル及び前記第２の表示パネルに対する利用者の意図的な動作に対応する特定の動き方が検知されていない状態では、前記表示形態を前記第１の表示形態に設定し、
前記検知部により前記特定の動き方が検知されたときに、前記表示形態を前記第２の表示形態又は前記第３の表示形態に設定するように制御することを特徴とする請求項２に記載の表示装置。
【請求項４】
前記第２の演算回路部は、前記表示形態が前記第１の表示形態に設定された場合には、休止状態に設定されることを特徴とする請求項２又は３に記載の表示装置。
【請求項５】
前記第１の表示パネルの前記第１の表示領域は前記第２の表示パネルの前記第２の表示領域に対して利用者の視野側に配置され、
前記第１の演算回路部及び前記第２の演算回路部は、
前記第１の表示形態において、前記第１の表示パネルの前記第１の表示領域に前記第１の画像を表示させるとともに、前記第２の表示パネルの前記第２の表示領域に画像を表示しないように制御し、
前記第２の表示状態において、前記第１の表示パネルの前記第１の表示領域全体を透過状態に設定するとともに、前記第２の表示パネルの前記第２の表示領域に前記第２の画像を表示させるように制御し、
前記第３の表示状態において、前記第１の表示パネルの前記第１の表示領域に前記第１の画像を表示させて、前記第１の表示領域の前記第１の画像を表示していない領域を透過状態にするとともに、前記第２の表示パネルの前記第２の表示領域に前記第２の画像を表示させるように制御することを特徴とする請求項２乃至４のいずれかに記載の表示装置。
【請求項６】
前記検知部は第１の演算回路部により制御されていることを特徴とする請求項１乃至５のいずれかに記載の表示装置。
【請求項７】
前記第１の表示パネル及び前記第１の演算回路部が動作しているときの消費電力は、第２の表示パネル及び前記第２の演算回路部が動作しているときの消費電力より小さいことを特徴とする請求項１乃至６のいずれかに記載の表示装置。
【請求項８】
前記第１の表示パネルは、外光を反射させることにより画像をモノクロで表示する機能を有し、
前記第２の表示パネルは、画像をカラーで表示する機能を有することを特徴とする請求項１乃至７のいずれかに記載の表示装置。
【請求項９】
第１の表示領域を有する第１の表示パネルと、前記第１の表示パネルの表示状態を制御する第１の演算回路部と、第２の表示領域を有する第２の表示パネルと、前記第１の演算回路部と連携して、前記第２の表示パネルの表示状態を制御する第２の演算回路部と、を有する表示装置と、
前記表示装置の空間的な動きを検知する検知部と、
を備え、
前記表示装置の前記第１の演算回路部及び前記第２の演算回路部の少なくともいずれか一方は、前記検知部による検知の結果に応じて、前記第１の表示パネルと前記第２の表示パネルとによる表示画像の表示形態を切り替えることを特徴とする電子機器。
【請求項１０】
前記第１の表示パネルの前記第１の表示領域と前記第２の表示パネルの前記第２の表示領域とは、利用者の視野側から見て少なくとも一部が互いに重なり合うように配置され、
前記表示形態として、前記第１の表示パネルによる第１の画像のみを表示する第１の表示形態と、前記第２の表示パネルによる第２の画像のみを表示する第２の表示形態と、前記第１の表示パネルによる前記第１の画像と前記第２の表示パネルによる前記第２の画像とを重ね合わせた第３の画像を表示する第３の表示形態と、を有することを特徴とする請求項９に記載の電子機器。
【請求項１１】
前記表示装置の前記第１の演算回路部及び前記第２の演算回路部は、
前記検知部により前記第１の表示パネル及び前記第２の表示パネルに対する利用者の意図的な動作に対応する特定の動き方が検知されていない状態では、前記第１の表示パネル及び前記第２の表示パネルを前記第１の表示形態に設定し、
前記検知部により前記特定の動き方が検知されたときに、前記第１の表示パネル及び前記第２の表示パネルを前記第２の表示形態又は前記第３の表示形態に設定するように制御することを特徴とする請求項１０に記載の電子機器。
【請求項１２】
前記第１の表示パネルの前記第１の表示領域は前記第２の表示パネルの前記第２の表示領域に対して利用者の視野側に配置され、
前記第１の演算回路部及び前記第２の演算回路部は、
前記第１の表示形態において、前記第１の表示パネルの前記第１の表示領域に前記第１の画像を表示させるとともに、前記第２の表示パネルの前記第２の表示領域に画像を表示しないように制御し、
前記第２の表示状態において、前記第１の表示パネルの前記第１の表示領域全体を透過状態に設定するとともに、前記第２の表示パネルの前記第２の表示領域に前記第２の画像を表示させるように制御し、
前記第３の表示状態において、前記第１の表示パネルの前記第１の表示領域に前記第１の画像を表示させて、前記第１の表示領域の前記第１の画像を表示していない領域を透過状態にするとともに、前記第２の表示パネルの前記第２の表示領域に前記第２の画像を表示させるように制御することを特徴とする請求項１０又は１１に記載の電子機器。
【請求項１３】
第１の表示領域を有する第１の表示パネルと、利用者の視野側から見て前記第１の表示領域と少なくとも一部が互いに重なり合うように配置された第２の表示領域を有する第２の表示パネルと、を有する表示部に、前記第１の表示パネルの表示状態と前記第２の表示パネルの表示状態とを組み合わせた表示画像を表示し、
前記第１の表示パネル及び前記第２の表示パネルの空間的な動きを検知し、
前記検知の結果に応じて、前記第１の表示パネルと前記第２の表示パネルとによる前記表示画像の表示形態を切り替えることを特徴とする電子機器の制御方法。
【請求項１４】
コンピュータに、
第１の表示領域を有する第１の表示パネルと、利用者の視野側から見て前記第１の表示領域と少なくとも一部が互いに重なり合うように配置された第２の表示領域を有する第２の表示パネルと、を有する表示部に、前記第１の表示パネルの表示状態と前記第２の表示パネルの表示状態とを組み合わせた表示画像を表示させ、
前記第１の表示パネル及び前記第２の表示パネルの空間的な動きを検知させ、
前記検知の結果に応じて、前記第１の表示パネルと前記第２の表示パネルとによる前記表示画像の表示形態を切り替えさせることを特徴とする電子機器の制御プログラム。
【発明の詳細な説明】
【技術分野】
【０００１】
本発明は、利用者（ユーザ）が身体に装着する装着型や携帯型の電子機器に関し、特に、各種の情報を表示する表示装置を備えた電子機器及びその制御方法、制御プログラムに関する。
【背景技術】
【０００２】
近年、人体に装着して、ランニングやサイクリング、スイミング、トレッキング等の運動時や、日常生活における各種のデータを記録して分析するための種々の製品が開発され、市販されている。また、携帯電話機やスマートフォン（高機能型携帯電話機）、タブレット端末等の携帯型の電子機器も広く普及している。このような機器の大半は、利用者に各種の情報を提供するための表示装置を備えている。
【０００３】
例えば特許文献１には、利用者の身体に装着し、運動時に収集したり、分析したりした運動データ等を、表示装置に表示して利用者に提供する機能を備えた、いわゆるスポーツウォッチが開示されている。
【先行技術文献】
【特許文献】
【０００４】
【特許文献１】特開２０１３−２２０１７６号公報
【発明の概要】
【発明が解決しようとする課題】
【０００５】
上述した特許文献１等に開示されたスポーツウォッチをはじめ、近年の装着型や携帯型の電子機器においては、例えば、加速度センサやジャイロセンサ（角速度センサ）、ＧＰＳ（Global Positioning System；全地球測位システム）による測位機能等の、種々のセンサ類を備えている。これらのセンサ類は、電子機器の携帯時や使用時には、常時センシング動作を行うように設定されて、利用者の運動状態や移動経路をログデータとして記録したり、現在位置を検出したりしているほか、表示装置を介して当該情報を利用者に提供しているため、常時電力を消費している。
【０００６】
特に、近年の装着型や携帯型の電子機器においては、利用者への各種情報の良好な伝達性や視認性、見栄え等の観点から、カラー表示による情報提供や様々な視覚効果（例えば表示画像のトランジションエフェクト等）が求められるようになってきている。このようなカラー表示や視覚効果を適用することにより、利用者が運動中や移動中であっても、直感的に理解しやすく、かつ、豊かな色彩表現や様々な視覚効果を用いた表示形態（以下、便宜的に「リッチなカラー表示」と記す）で情報を提供することができる。しかしながら、一般に、リッチなカラー表示による情報提供においては、デジタル時計等に適用される、セグメントや簡易な図形を組み合わせた画面変化の少ないモノクロ表示に比較して、表示駆動用のプロセッサや表示パネル、バックライト等における消費電力が著しく大きくなる。
【０００７】
そのため、バッテリにより駆動するスポーツウォッチ等の装着型や携帯型の電子機器において、利用者の運動等に関わる種々のログデータを記録しながら、各種の情報をリッチなカラー表示により提供する場合、電子機器の駆動時間が非常に短くなってしまうという問題を有していた。
【０００８】
そこで、本発明は、上述した問題点に鑑みて、各種の情報をより視認性が高くリッチなカラー表示で提供することができ、かつ、電力の消費を抑制して駆動時間を改善することができる表示装置、並びに、当該表示装置を備えた電子機器及びその制御方法、制御プログラムを提供することを目的とする。
【課題を解決するための手段】
【０００９】
本発明は、
表示装置であって、
第１の表示領域を有する第１の表示パネルと、
前記第１の表示パネルの表示状態を制御する第１の演算回路部と、
第２の表示領域を有する第２の表示パネルと、
前記第１の演算回路部と連携して、前記第２の表示パネルの表示状態を制御する第２の演算回路部と、
前記表示装置の空間的な動きを検知する検知部と、
を有し、
前記第１の演算回路部及び前記第２の演算回路部の少なくともいずれか一方は、前記検知部による検知の結果に応じて、前記第１の表示パネルと前記第２の表示パネルとによる表示画像の表示形態を切り替えることを特徴とする。
【００１０】
本発明に係る電子機器は、
第１の表示領域を有する第１の表示パネルと、前記第１の表示パネルの表示状態を制御する第１の演算回路部と、第２の表示領域を有する第２の表示パネルと、前記第１の演算回路部と連携して、前記第２の表示パネルの表示状態を制御する第２の演算回路部と、を有する表示装置と、
前記表示装置の空間的な動きを検知する検知部と、
を備え、
前記表示装置の前記第１の演算回路部及び前記第２の演算回路部の少なくともいずれか一方は、前記検知部による検知の結果に応じて、前記第１の表示パネルと前記第２の表示パネルとによる表示画像の表示形態を切り替えることを特徴とする。
【００１１】
本発明に係る電子機器の制御方法は、
第１の表示領域を有する第１の表示パネルと、利用者の視野側から見て前記第１の表示領域と少なくとも一部が互いに重なり合うように配置された第２の表示領域を有する第２の表示パネルと、を有する表示部に、前記第１の表示パネルの表示状態と前記第２の表示パネルの表示状態とを組み合わせた表示画像を表示し、
前記第１の表示パネル及び前記第２の表示パネルの空間的な動きを検知し、
前記検知の結果に応じて、前記第１の表示パネルと前記第２の表示パネルとによる前記表示画像の表示形態を切り替えることを特徴とする。
【００１２】
本発明に係る電子機器の制御プログラムは、
コンピュータに、
第１の表示領域を有する第１の表示パネルと、利用者の視野側から見て前記第１の表示領域と少なくとも一部が互いに重なり合うように配置された第２の表示領域を有する第２の表示パネルと、を有する表示部に、前記第１の表示パネルの表示状態と前記第２の表示パネルの表示状態とを組み合わせた表示画像を表示させ、
前記第１の表示パネル及び前記第２の表示パネルの空間的な動きを検知させ、
前記検知の結果に応じて、前記第１の表示パネルと前記第２の表示パネルとによる前記表示画像の表示形態を切り替えさせることを特徴とする。
【発明の効果】
【００１３】
本発明によれば、表示装置を備えた携帯型の電子機器において、各種の情報をより視認性が高くリッチなカラー表示で提供することができ、かつ、電力の消費を抑制して駆動時間を改善することができる。
【図面の簡単な説明】
【００１４】
【図１】本発明に係る表示装置を備えた電子機器の一実施形態を示す概略構成図である。
【図２】一本実施形態に係る電子機器の概略構成を示すブロック図である。
【図３】一実施形態に係る電子機器に適用される表示装置の概略構成を示すブロック図である。
【図４】一実施形態に係る電子機器における画面表示の第１の表示形態の例を示す概略図である。
【図５】一実施形態に係る電子機器における画面表示の第２の表示形態の例を示す概略図（その１）である。
【図６】一実施形態に係る電子機器における画面表示の第２の表示形態の例を示す概略図（その２）である。
【図７】一実施形態に係る電子機器における画面表示の第３の表示形態の例を示す概略図（その１）である。
【図８】一実施形態に係る電子機器における画面表示の第３の表示形態の例を示す概略図（その２）である。
【図９】一実施形態に係る電子機器の制御方法の一例を示すフローチャートである。
【図１０】一実施形態に係る電子機器の制御方法におけるユーザの視認動作の検知方法の一例を示す概略図である。
【発明を実施するための形態】
【００１５】
以下に、本発明に係る表示装置、当該表示装置を備えた電子機器及びその制御方法、制御プログラムについて、実施形態を示して詳しく説明する。
＜表示装置、電子機器＞
図１は、本発明に係る表示装置を備えた電子機器の一実施形態を示す概略構成図である。図１（ａ）〜（ｃ）は、本実施形態に係る電子機器の複数の具体例を示す概略斜視図であり、図１（ｄ）は、本実施形態に係る電子機器に適用される表示装置の構成例を示す概略斜視図である。また、図２は、本実施形態に係る電子機器の概略構成を示すブロック図であり、図３は、本実施形態に係る電子機器に適用される表示装置の概略構成を示すブロック図である。
【００１６】
本発明の一実施形態に係る表示装置を備えた電子機器１０は、例えば図１（ａ）〜（ｃ）に示すように、少なくとも各種の情報を表示するための表示パネル４０を備えた構成を有している。ここで、電子機器１０は、例えば図１（ａ）に示すように、腕時計型やリストバンド型の外観を有し、ユーザ（利用者）の身体に装着されるスポーツウォッチやスマートウォッチであってもよいし、図１（ｂ）に示すような、ユーザが手に持って使用するスマートフォンや携帯電話機であってもよいし、図１（ｃ）に示すような、登山等でユーザがアウトドアで手に持って使用する携帯機器（例えばＧＰＳロガー）であってもよい。なお、図１（ａ）〜（ｃ）において、３０はボタンスイッチやタッチパネル等の入力操作部であり、５０はスピーカやブザー等の出力部である。表示パネル４０や入力操作部３０、出力部５０を含む電子機器１０の各構成については、詳しく後述する。
【００１７】
このような電子機器１０において、表示パネル４０は、例えば図１（ｄ）に示すように、表示パネル４０Ａと表示パネル４０Ｂとを有し、表示パネル４０Ａの表示領域と表示パネル４０Ｂの表示領域とが重ね合わされた（積層された）構成を有している。ここで、ユーザの視野側（図面、上層側）に配置された表示パネル（第１の表示パネル）４０Ａは、単独で文字情報や画像情報等を反射型で視認性良く表示する特性を有している。更に、表示パネル４０Ａは、背面側（視野側の反対側；図面、下層側）に配置された表示パネル４０Ｂに表示された文字情報や画像情報等が視野側に透過してユーザに良好に視認されるように、少なくとも透明又は半透明に状態を変化させることができる特性も有している。本実施形態においては、表示パネル４０Ａとして、例えば、比較的高い反射率で屋外視認性に優れる反射型でのモノクロ表示が可能で、かつ、半透過表示や全透過表示も可能なＰＮ（Polymer Network；高分子分散）液晶パネルを良好に適用することができる。ＰＮ液晶パネルは、パネル平面に垂直方向に電界を形成することにより、液晶層内の高分子が電界方向に整列して光を透過する状態となり、一方、電界を形成せず高分子が散乱配列した状態では非透過となって光を乱反射又は拡散乱反射する状態となって、文字情報や画像情報等を反射型で表示することができる特性を有している。これにより、ＰＮ液晶パネルは、所定のセグメントや図形を組み合わせて非透過として外光を乱反射又は拡散乱反射することにより、文字情報や画像情報を簡易なモノクロ画像（又はモノトーン画像）として表示することができ、さらに、ＰＮ液晶パネルは、その表示状態を維持するために電力を必要としない特性を有しているため、一般に低消費電力で表示駆動することができる。なお、上記において表示パネル４０は２枚の表示パネル（表示パネル４０Ａ、表示パネル４０Ｂ）を有するものとしたが、２枚より多くの枚数の表示パネルを有するものであってもよい。
【００１８】
一方、ユーザの視野側の反対側（表示パネル４０Ａの背面側）に配置された表示パネル（第２の表示パネル）４０Ｂは、単独で文字情報や画像情報等を高精細で優れた色彩表現や視覚効果により表示する特性を有している。更に、表示パネル４０Ｂは、表示された文字情報や画像情報等が表示パネル４０Ａを透過してユーザに良好に視認されるように、光源（バックライト等）を備えた構成を有している。本実施形態においては、表示パネル４０Ｂとして、例えば、高精細で色彩表現や視覚効果に優れた（リッチな）カラー表示が可能な透過型のＴＦＴ（Thin Film Transistor）カラー液晶パネルを良好に適用することができる。ＴＦＴカラー液晶パネルは、一般に、背面側（下層側）に配置された光源（バックライト）からの光を透過させることにより、文字情報や画像情報を豊かな色彩表現で視認性良く表示することができるという特長を有している。しかし、通常、上述したＰＮ液晶パネルを適用した表示パネル４０Ａに比較して、消費電力が大きい。
【００１９】
本実施形態に係る電子機器１０は、具体的には、例えば図２に示すように、上述したＰＮ液晶パネルを適用した表示パネル４０Ａを備えた内部回路１００と、上述したＴＦＴカラー液晶パネルを適用した表示パネル４０Ｂを備えた内部回路２００と、光源部３００と、電源部４００と、を有している。ここでは、本実施形態に係る電子機器１０として、身体に装着して運動時や日常の各種のデータを収集して分析する機器、例えば手首に装着する腕時計型のスポーツウォッチ（図１（ａ）参照）に適用した場合について説明する。
【００２０】
内部回路１００は、例えば図２（ａ）に示すように、大別して、センサ部（検知部）１１０と、ＧＰＳ機能部１２０と、入力操作部（検知部）１３０と、表示部１４０と、出力部１５０と、メモリ部１６０と、演算回路部（第１の演算回路部）１７０と、通信インターフェース部（以下、「通信Ｉ／Ｆ部」と記す）１８０と、を有している。
【００２１】
センサ部１１０は、加速度センサやジャイロセンサ、地磁気センサ、気圧センサ、温湿度センサ、脈拍センサ、心拍センサ等のセンサ手段であり、ユーザの運動中や日常生活における各種の物理的又は生体的なデータ（センサデータ）を取得して演算回路部１７０に出力する。ここで、加速度センサやジャイロセンサ、地磁気センサ等のセンサ類は、ユーザの運動中、例えば毎秒１００回以上の周期（１００Ｈｚ以上のサンプリング周波数）でセンシング動作を実行してセンサデータを演算回路部１７０に出力する。
【００２２】
ＧＰＳ機能部１２０は、ＧＰＳアンテナ及びＧＰＳ受信部を備え、ＧＰＳアンテナを介して複数のＧＰＳ衛星からの電波を受信することにより、ＧＰＳ受信部が地理的な位置情報を取得して測位データとして演算回路部１７０に出力する。これにより、演算回路部１７０において、例えば、電子機器１０を装着したユーザの現在位置及び移動経路が算出される。ここで、ＧＰＳ機能部１２０は例えば１〜数秒に１回程度の周期でセンシング動作を実行して測位データを演算回路部１７０に出力する。
【００２３】
入力操作部１３０は、例えば電子機器１０の筐体に設けられたボタンスイッチやスライドスイッチ、マイク等の入力手段であり、ユーザの入力操作に起因する各種の操作信号を演算回路部１７０に出力する。これにより、演算回路部１７０において、上述したセンサ部１１０やＧＰＳ機能部１２０におけるセンシング動作の設定や制御、表示部１４０や後述する表示部２４０に表示する項目や文字情報、画像情報の選択や設定等が行われる。
【００２４】
表示部１４０は、図３に示すように、上述したＰＮ液晶パネルを適用した表示パネル４０Ａと画像メモリ（フレームメモリ）１４２と表示ドライバ（ＬＣＤドライバ）１４４とを備え、演算回路部１７０において生成される各種の情報を、所定の形態で表示する。ここで、本実施形態においては、ＰＮ液晶パネルの特性を利用して、演算回路部１７０により、表示パネル４０Ａが半透過状態（非透過の部分や領域を有する状態）、又は、全透過状態に制御される。すなわち、表示パネル４０Ａは、半透過状態においては特定のセグメントや図形等に対応する領域のみが光を乱反射又は拡散乱反射して白色表示として視認されることで反射型の表示がなされ、それ以外の領域では下層の表示パネル４０Ｂに表示された画像が透過して視認される。また、全透過状態においては表示パネル４０Ａの表示領域の全体が透過状態となり、表示領域の全域で表示が行われず、下層の表示パネル４０Ｂに表示された画像が略全て透過して視認される。これにより、表示部１４０は、演算回路部１７０により、大別して、演算回路部１７０において生成される各種の情報を半透過状態でセグメントや図形等により単独でモノクロ表示する形態と、後述する内部回路２００の表示部２４０に表示される文字情報や画像情報等に連携して半透過状態でセグメントや図形等によりモノクロ表示する形態と、表示パネル４０Ａを全透過状態に設定して全域に何も表示しない形態と、に制御される。なお、表示部１４０及び内部回路２００の表示部２４０における文字情報や画像情報等の表示例については、後述する表示形態において詳しく説明する。
【００２５】
出力部１５０は、ブザーやスピーカ等の音響手段や、振動モータや振動子等の振動手段であり、所定の音色や音パターン、音声メッセージ等の音情報、あるいは、所定の振動パターンやその強弱等の振動情報を発生することにより、聴覚や触覚を通してユーザに各種の情報を提供又は報知する。ここで、出力部１５０は、上述した表示部１４０や内部回路２００の表示部２４０に表示される文字情報や画像情報等に連動して、所定の音情報や振動情報を発生させるものであってもよい。
【００２６】
メモリ部１６０は、センサ部１１０において取得したセンサデータやＧＰＳ機能部１２０において取得した測位データを所定の記憶領域に保存する。また、メモリ部１６０は、演算回路部１７０において所定の制御プログラムやアルゴリズムプログラムを実行する際に使用するデータやその際に生成されるデータ、表示部１４０に表示するためのデータ等を保存する。また、メモリ部１６０は、演算回路部１７０において実行される制御プログラムやアルゴリズムプログラムが保存されるものであってもよい。なお、メモリ部１６０は、その一部又は全部が、例えばメモリカード等のリムーバブル記憶媒体としての形態を有し、電子機器１０に対して着脱可能に構成されているものであってもよい。
【００２７】
演算回路部１７０は、ＣＰＵ（中央演算処理装置）やＭＰＵ（マイクロプロセッサ）等の演算装置であって、所定の制御プログラムやアルゴリズムプログラムを実行することにより、センサ部１１０やＧＰＳ機能部１２０におけるセンシング動作や、表示部１４０や出力部１５０における各種の情報の提供、通信Ｉ／Ｆ部１８０における各種のデータの送受信等の、各種の動作を制御する。特に、演算回路部１７０は、上述した表示部１４０における表示パネル４０Ａの透過状態（非透過、半透過、全透過の各状態）を制御するとともに、後述する内部回路２００の演算回路部２７０と連携かつ同期して表示部１４０における各種の情報の表示形態を制御する。
【００２８】
本実施形態においては、演算回路部１７０は、低消費電力で表示駆動される表示部１４０（表示パネル４０Ａ）や、周期的にセンシング動作を行うセンサ部１１０やＧＰＳ機能部１２０、低消費電力でデータを送受信する通信Ｉ／Ｆ部１８０等を制御することができる程度の処理能力を有していればよい。すなわち、演算回路部１７０は、動作クロックが後述する内部回路２００の演算回路部２７０の動作クロックより低速で、比較的処理能力が低い演算回路を適用することができる。そして、このような演算回路は、一般に消費電力を比較的低く抑えることができる。これは換言すると、演算回路部１７０として、比較的処理能力が低く、かつ、消費電力の低い演算回路（ローパワー、ローパフォーマンスのプロセッサ）を適用することができることを意味する。ここで、演算回路部１７０において実行される制御プログラムやアルゴリズムプログラムは、上述したメモリ部１６０に保存されているものであってもよいし、演算回路部１７０の内部に予め組み込まれているものであってもよい。なお、本実施形態に係る電子機器１０の制御方法ついては詳しく後述する。
【００２９】
通信Ｉ／Ｆ部１８０は、送信回路及び受信回路を備え、本実施形態に係る手首に装着した腕時計型の電子機器１０と外部の電子機器（便宜的に「外部機器」と記す；図示を省略）との間で、所定の通信方式により各種のデータを送受信する。ここで、通信Ｉ／Ｆ部１８０を介して通信を行う外部機器は、例えば各種のセンサ類を備え、ユーザが胸部や腰部等、身体の他の部位に装着するセンサ機器（図示を省略）等である。電子機器１０は、例えば、このような外部機器において所定の周期やタイミングで収集されたセンサデータ等を、通信Ｉ／Ｆ部１８０を介して随時受信して演算回路部１７０やメモリ部１６０に転送する。なお、通信Ｉ／Ｆ部１８０において、無線通信により外部機器との間でデータを送受信する場合には、例えばブルートゥースローエナジー（Bluetooth（登録商標） low energy（LE））通信等の低消費電力の無線通信方式が適用される。また、通信Ｉ／Ｆ部１８０において、有線通信により外部機器との間でデータを送受信するものであってもよく、その場合には、例えばＵＳＢ（Universal Serial Bus）規格等の有線通信方式が適用される。
【００３０】
内部回路２００は、例えば図２（ｂ）に示すように、大別して、入力操作部２３０と、表示部２４０と、メモリ部２６０と、演算回路部（第２の演算回路部）２７０と、通信Ｉ／Ｆ部２８０と、を有している。
【００３１】
入力操作部２３０は、例えば上述した内部回路１００の表示部１４０に設けられた表示パネル４０Ａの視野側に配置されたタッチパネル等の入力手段であり、ユーザの入力操作に起因する各種の操作信号を演算回路部２７０に出力する。これにより、演算回路部２７０において、上述した表示部１４０や表示部２４０に表示する項目や文字情報、画像情報の選択や設定等が行われる。
【００３２】
表示部２４０は、図３に示すように、上述したＴＦＴカラー液晶パネルを適用した表示パネル４０Ｂと画像メモリ２４２と表示ドライバ２４４とを備え、演算回路部２７０において生成される各種の情報を、所定の形態で表示する。ここで、本実施形態においては、透過型のＴＦＴカラー液晶パネルの特性を利用して、表示パネル４０Ｂに所定のカラー画像を表示した状態で、背面側（視野側の反対側）に設けられた光源（バックライト）を点灯することにより、当該カラー画像が表示パネル４０Ａを介してユーザにより視認される。特に、本実施形態においては、表示パネル４０Ｂに表示されるカラー画像は、演算回路部２７０により、上述した内部回路１００の表示部１４０に設けられた表示パネル４０Ａの透過状態（半透過、全透過の各状態）、及び、表示パネル４０Ａに表示される画像に連携して制御される。これにより、表示部２４０は、演算回路部２７０により、大別して、演算回路部２７０において生成される各種の情報を単独でカラー表示する形態と、上述した内部回路１００の表示パネル４０Ａにセグメントや図形等によりモノクロ表示される文字情報や画像情報等に連携してカラー表示する形態と、表示パネル４０Ｂの全域で表示を行わず、視野側に配置された表示パネル４０Ａに対して無反射層（光が殆ど反射しない特性を有する層）として機能する形態と、に制御される。
【００３３】
メモリ部２６０は、演算回路部２７０において所定の制御プログラムやアルゴリズムプログラムを実行する際に使用するデータやその際に生成されるデータ、表示部２４０に表示するためのデータ等を保存する。また、メモリ部２６０は、演算回路部２７０において実行される制御プログラムやアルゴリズムプログラムが保存されるものであってもよい。なお、メモリ部２６０は、上述した内部回路１００に設けられるメモリ部１６０と一体的に構成されているものであってもよい。
【００３４】
演算回路部２７０は、上述した内部回路１００の演算回路部１７０と同様に、ＣＰＵやＭＰＵ等の演算装置であって、所定の制御プログラムやアルゴリズムプログラムを実行することにより、表示部２４０における各種の情報の表示や、後述する通信Ｉ／Ｆ部２８０における各種のデータの送受信等の、各種の動作を制御する。特に、演算回路部２７０は、上述した内部回路１００の演算回路部１７０と連携かつ同期して表示部２４０における各種の情報の表示形態を制御する。
【００３５】
本実施形態においては、演算回路部２７０は、比較的消費電力が大きく多彩なカラー表示が可能な表示部２４０（表示パネル４０Ｂ）や、比較的容量の大きい各種のデータを高速で送受信する通信Ｉ／Ｆ部２８０等を制御することができる程度の処理能力を有している。すなわち、演算回路部２７０は、動作クロックが内部回路１００の演算回路部１７０の動作クロックより高速で、比較的処理能力が高い演算回路が適用される。そして、このような演算回路は、一般に消費電力が比較的高い傾向にある。これは換言すると、演算回路部２７０として、比較的処理能力が高く、かつ、消費電力の高い演算回路（ハイパワー、ハイパフォーマンスのプロセッサ）を適用する必要があることを意味する。すなわち、演算回路部２７０は、動作周波数が演算回路部１７０の動作周波数より高く、処理能力が演算回路部１７０の処理能力より高く、消費電力が演算回路部１７０の消費電力より高いものである。ここで、演算回路部２７０において実行される制御プログラムやアルゴリズムプログラムは、上述したメモリ部２６０に保存されているものであってもよいし、演算回路部２７０の内部に予め組み込まれているものであってもよい。
【００３６】
通信Ｉ／Ｆ部２８０は、送信回路及び受信回路を備え、本実施形態に係る電子機器１０と外部機器との間で、所定の通信方式により各種のデータを送受信する。ここで、通信Ｉ／Ｆ部２８０を介して通信を行う外部機器は、例えばスマートフォンやパーソナルコンピュータ等の高機能の情報処理装置（図示を省略）等である。電子機器１０は、このような外部機器との間で、比較的容量の大きいデータを、通信Ｉ／Ｆ部２８０を介して高速で送信する。具体的には、通信Ｉ／Ｆ部２８０は、例えば、電子機器１０が収集したセンサデータ等を外部機器に送信したり、外部機器から送信される各種の情報を受信したりする。なお、通信Ｉ／Ｆ部２８０において、無線通信により外部機器との間でデータを送受信する場合には、例えばブルートゥース（Bluetooth（登録商標））通信やワイファイ（Wi-Fi；wireless fidelity（登録商標））通信等の各種の無線通信方式が適用される。また、通信Ｉ／Ｆ部２８０において、有線通信により外部機器との間でデータを高速で送受信するものであってもよく、その場合には、例えばＵＳＢ規格等における高速通信規格に対応した有線通信方式が適用される。
【００３７】
光源部３００は、図３に示すように、バックライト３０２とバックライト制御部３０４とを備え、上述した内部回路２００の表示部２４０に設けられる表示パネル４０Ｂや、内部回路１００の表示部１４０に設けられる表示パネル４０Ａの表示状態に応じて、バックライト３０２のＯＮ（点灯）、ＯＦＦ（消灯）状態が制御される。バックライト３０２は表示パネル４０Ｂの背面側に配置され、例えば、複数のＬＥＤ（発光素子）と、導光板や光拡散フィルム等の各種の光学部材とを用いた面光源が適用される。バックライト制御部３０４は、図２、図３に示すように、少なくとも内部回路１００の演算回路部１７０からの制御信号に基づいて、バックライト３０２のＯＮ、ＯＦＦ状態を制御する。なお、バックライト制御部３０４は、演算回路部１７０からの制御信号のほかに、内部回路２００の演算回路部２７０からの制御信号に基づいて、バックライト３０２のＯＮ、ＯＦＦ状態を制御するものであってもよい。
【００３８】
電源部４００は、上述した内部回路１００、２００及び光源部３００の各構成に対して所定の駆動電力を生成して出力する。ここで、電源部４００は、例えば市販のコイン型電池やボタン型電池等の一次電池、リチウムイオン電池やニッケル水素電池等の二次電池を適用することができる。また、電源部４００は、上記の一次電池や二次電池のほか、振動や光、熱、電磁波等のエネルギーにより発電する環境発電（エナジーハーベスト）技術による電源等を単独で、あるいは、併用して適用することもできる。
【００３９】
このように、本実施形態に係る電子機器１０においては、比較的高い反射率で屋外視認性に優れる反射型での簡易なモノクロ表示が可能で、かつ、半透過表示や全透過表示が可能な表示パネル４０Ａと、高精細で色彩表現や視覚効果に優れたカラー表示が可能な表示パネル４０Ｂとを備え、これらの表示パネル４０Ａ、４０Ｂが視野側から見て重なるように積層された構成を有している。これらの表示パネル４０Ａ、４０Ｂは、各々の表示形態に応じた処理能力を有する独立した演算回路部１７０、２７０により制御される。そして、これらの演算回路部１７０、２７０が相互に連携することにより、電子機器１０における電力の消費を抑制しつつ、表示パネル４０における種々の表示形態が制御される。
【００４０】
＜表示形態＞
次に、本実施形態に係る電子機器における画面表示の表示形態について説明する。
図４は、本実施形態に係る電子機器における画面表示の第１の表示形態の例を示す概略図であり、図５、図６は、本実施形態に係る電子機器における画面表示の第２の表示形態の例を示す概略図であり、図７、図８は、本実施形態に係る電子機器における画面表示の第３の表示形態の例を示す概略図である。
【００４１】
（第１の表示形態）
上述した構成を有する電子機器１０における第１の表示形態においては、図１（ｄ）に示したように、ユーザの視野側から見て重なるように配置された表示パネル４０Ａ、４０Ｂのうち、図４に示すように、視野側（図１（ｄ）の上層側）の表示パネル４０Ａに所定の文字情報や画像情報等が表示されるように表示部１４０が制御される。すなわち、内部回路１００の演算回路部１７０において生成され、表示部１４０の画像メモリ１４２に保存された文字情報や画像情報等が、表示ドライバ１４４により表示パネル４０Ａにセグメントや図形等による比較的高い反射率で簡易なモノクロ画像（第１の画像）として反射型で表示されるとともに、表示パネル４０Ａの文字情報や画像情報等を表示していない領域が透過状態に設定される。
【００４２】
一方、表示パネル４０Ａの背面側（図１（ｄ）の下層側）の表示パネル４０Ｂには何も情報が表示されないように表示部２４０が制御される。すなわち、少なくとも、内部回路２００の演算回路部２７０及び表示部２４０（画像メモリ２４２、表示ドライバ２４４、表示パネル４０Ｂ）が継続的又は断続的に休止状態に設定される。ここで、内部回路２００の演算回路部２７０及び表示部２４０における休止状態は、演算回路部２７０と内部回路１００の演算回路部１７０とが相互に連携することにより制御される。具体的には、演算回路部２７０は、内部回路１００の演算回路部１７０に対して、表示パネル４０Ｂにカラー表示を行わず休止状態に移行する連携信号を送信した後、少なくとも表示部２４０への電力の供給を抑制又は遮断して、休止状態に移行する。演算回路部１７０は、演算回路部２７０から上記の連携信号を受信することにより、表示パネル４０Ａに文字情報や画像情報等をモノクロ画像により表示するとともに、表示パネル４０Ａの文字情報や画像情報等を表示していな領域を透過状態に設定し、その状態を継続する。
【００４３】
さらに、演算回路部１７０は、演算回路部２７０から上記の連携信号を受信することにより、光源部３００のバックライト制御部３０４に対してバックライト３０２をＯＦＦ（消灯）するように制御する。これにより、表示パネル４０Ｂは、半透過状態に設定された表示パネル４０Ａの背面側に配置された無反射層として機能する。
【００４４】
このように電子機器１０における第１の表示形態においては、図４に示すように、視野側（上層側）の表示パネル４０Ａに文字情報や画像情報等がセグメントや図形等による比較的高い反射率で簡易なモノクロ画像として反射型で表示されるとともに、表示パネル４０Ａの文字情報や画像情報等を表示していない領域が透過状態に設定され、また、背面側（下層側）の表示パネル４０Ｂは無反射層として機能している。これにより、表示パネル４０Ａの文字情報や画像情報等を表示していない領域は黒く見えることになる。このため、ユーザは、屋外や明るい環境下においても、表示パネル４０Ａに表示された文字情報や画像情報等を良好に視認することができる。また、第１の表示形態においては、当該表示状態を維持している間、内部回路１００の表示部１４０が低消費電力で表示駆動されるとともに、内部回路２００の演算回路部２７０及び表示部２４０、並びに光源部３００がほとんど電力を消費することがないので、電子機器１０の消費電力を大幅に抑制することができる。
【００４５】
（第２の表示形態）
電子機器１０における第２の表示形態においては、図５に示すように、ユーザの視野側の表示パネル４０Ａには何も情報が表示されないように表示部１４０が制御される。すなわち、少なくとも、表示パネル４０Ａの表示領域全体が透過状態に設定されるとともに、内部回路１００の表示部１４０の画像メモリ１４２及び表示ドライバ１４４が継続的又は断続的に休止状態に設定される。ここで、内部回路１００の表示部１４０における休止状態は、演算回路部１７０と内部回路２００の演算回路部２７０とが相互に連携することにより制御される。具体的には、演算回路部１７０は、演算回路部２７０に対して、表示パネル４０Ａに何も情報を表示せず、表示領域全体を透過状態に設定するとともに、表示部１４０を休止状態に移行する連携信号を送信した後、少なくとも表示部１４０への電力の供給を抑制して、休止状態に移行する。
【００４６】
一方、演算回路部２７０は、演算回路部１７０から上記の連携信号を受信することにより、表示パネル４０Ａの背面側の表示パネル４０Ｂに所定の文字情報や画像情報等を表示するように表示部２４０を制御する。すなわち、演算回路部２７０において生成され、表示部２４０の画像メモリ２４２に保存された文字情報や画像情報等が、表示ドライバ２４４により表示パネル４０Ｂに高精細で色彩表現や視覚効果に富む（リッチな）カラー画像（第２の画像）として表示される。
【００４７】
さらに、演算回路部１７０は、少なくとも電子機器１０の画面表示を視認するためのユーザの意図的な動作に基づいて、光源部３００のバックライト制御部３０４に対してバックライト３０２をＯＮ（点灯）又はＯＦＦ（消灯）させるように制御する。具体的には、演算回路部１７０は、ユーザが画面表示を視認する際のユーザの意図的な動作に関連して、センサ部１１０により取得されるセンサデータや入力操作部１３０からの操作信号等（特定の状態）を検知した場合には、図５（ａ）に示すように、予め表示パネル４０Ｂに所定の文字情報や画像情報等をカラー表示した状態で、光源部３００のバックライト制御部３０４に対してバックライト３０２をＯＮ（点灯）させるように制御する。あるいは、演算回路部１７０は、上記のセンサデータや操作信号等を検知した場合には、図５（ａ）に示すように、演算回路部２７０に所定の連携信号を送信して、表示パネル４０Ｂに所定の文字情報や画像情報等がカラー表示されるように表示部２４０を制御するとともに、光源部３００のバックライト３０２をＯＮ（点灯）させるように制御する。これにより、表示パネル４０Ａの背面側の表示パネル４０Ｂにバックライト３０２から光が照射されて、表示パネル４０Ｂにカラー表示された文字情報や画像情報等が、全透過状態に設定された表示パネル４０Ａを介して（透過して）、ユーザにリッチなカラー画像として視認される。一方、演算回路部１７０が、ユーザの意図的な視認動作を検知していない状態では、図５（ｂ）に示すように、少なくともバックライト制御部３０４に対してバックライト３０２をＯＦＦ（消灯）させるように制御する。あるいは、演算回路部１７０は、ユーザの意図的な視認動作を検知していない状態では、演算回路部２７０に所定の連携信号を送信して、表示パネル４０Ｂにカラー画像を表示しないように表示部２４０を制御するとともに、バックライト３０２をＯＦＦ（消灯）させるように制御する。
【００４８】
このように電子機器１０における第２の表示形態においては、図５に示すように、表示パネル４０Ａが全透過状態に設定されるとともに、表示パネル４０Ａの背面側（下層側）の表示パネル４０Ｂに文字情報や画像情報等がリッチなカラー画像により表示される。そして、ユーザが電子機器１０の画面表示を視認する意図的な動作を行った場合のみ、表示パネル４０Ｂにバックライト３０２の光が照射されて、ユーザは、表示パネル４０Ｂに表示された文字情報や画像情報等を全透過状態に設定された表示パネル４０Ａを介して、リッチなカラー画像として視認することができる。また、第２の表示形態においては、当該表示状態を維持している間、内部回路１００の表示部１４０が低消費電力で表示駆動されるとともに、ユーザが意図的な視認動作をしていない状態では少なくとも光源部３００が電力を消費することがないので、電子機器１０の消費電力を大幅に抑制することができる。なお、図５においては、ユーザが視認する画面表示として、表示パネル４０Ｂに文字情報をカラー表示した場合について図示したが、図６に示すように、文字情報を含む任意の画像情報を表示パネル４０Ｂにリッチなカラー画像として表示するものであってもよい。ここで、図６（ａ）、（ｃ）は、表示パネル４０Ｂに任意の画像情報をカラー表示し、バックライト３０２をＯＮ（点灯）した状態を示す概略図であり、図６（ｂ）は、図６（ａ）に示した表示形態において、バックライト３０２をＯＦＦ（消灯）した状態を示す概略図である。
【００４９】
（第３の表示形態）
電子機器１０における第３の表示形態においては、図７に示すように、ユーザの視野側の表示パネル４０Ａに所定の文字情報や画像情報等が表示されるように表示部１４０が制御される。すなわち、演算回路部１７０において生成され、表示部１４０の画像メモリ１４２に保存された文字情報や画像情報等が、表示ドライバ１４４により表示パネル４０Ａにセグメントや図形等による比較的高い反射率で簡易なモノクロ画像として反射型で表示されるとともに、表示パネル４０Ａの文字情報や画像情報等を表示していない領域が透過状態に設定される。ここで、内部回路１００の表示部１４０における表示状態は、演算回路部１７０と内部回路２００の演算回路部２７０とが相互に連携することにより制御される。具体的には、演算回路部１７０は演算回路部２７０に対して、表示パネル４０Ａに表示されるモノクロ画像や、その表示タイミング、表示形態等に関する連携信号を送信する。
【００５０】
一方、演算回路部２７０は、演算回路部１７０から上記の連携信号を受信することにより、表示パネル４０Ａの背面側の表示パネル４０Ｂに、表示パネル４０Ａに表示されたモノクロ画像に連携した所定の文字情報や画像情報等を所定のタイミングで表示するように表示部２４０を制御する。ここで、内部回路２００の表示部２４０における表示状態は、内部回路１００の演算回路部１７０と演算回路部２７０とが相互に連携することにより制御される。すなわち、演算回路部２７０において生成され、画像メモリ２４２に保存された文字情報や画像情報等が、表示ドライバ２４４により表示パネル４０Ｂにリッチなカラー画像として表示され、さらに、演算回路部２７０と演算回路部１７０とが相互に連携することにより、表示パネル４０Ａに表示される簡易なモノクロ画像に重ね合わされて表示される。
【００５１】
ここで、表示パネル４０Ｂに表示されるカラー画像は、例えば図７（ａ）、図８（ａ）に示すように、セグメントや図形等により表示パネル４０Ａに表示されるモノクロ画像の背景画像や装飾画像として用いられるものであってもよい。また、カラー画像は、表示パネル４０Ａに表示されるモノクロ画像が示す情報に対して、関連する情報を示すものであってもよいし、全く異なる種類の情報を示すものであってもよい。具体的には、例えば図８（ｂ）に示すように、表示パネル４０Ａに表示される、ペースやラップタイム等の数値情報を示すモノクロ画像に対して、当該ペースやラップタイム等の分析結果に基づく支援情報を示すカラー画像（例えばペースアップを促す画像等）が表示パネル４０Ｂに表示されるものであってもよい。また、例えば図８（ｃ）に示すように、表示パネル４０Ａに表示される、移動距離等の数値情報を示すモノクロ画像に対して、ユーザの現在位置や移動軌跡等を示すカラー画像（地図）が表示パネル４０Ｂに表示されるものであってもよい。
【００５２】
本実施形態においては、上述したように、演算回路部１７０と演算回路部２７０とが相互に連携かつ同期して動作することにより、表示パネル４０Ａに表示されるモノクロ画像と表示パネル４０Ｂに表示されるカラー画像とが重ね合わされて多様な表示形態が実現される。このような多様な表示形態を実現するためには、演算回路部１７０及び演算回路部２７０は、少なくとも、それぞれの「現在の動作状態」や「表示している情報」、「情報の表示形態」等を把握し、かつ、同期して動作する必要がある。そのため、演算回路部１７０と演算回路部２７０との間で通信される連携信号は、少なくとも、これらの情報を含んで、常時又は所定のタイミングで随時送受信される。
【００５３】
さらに、演算回路部１７０は、上述した第２の表示形態と同様に、少なくとも電子機器１０の画面表示を視認するためのユーザの意図的な動作に基づいて、光源部３００のバックライト３０２をＯＮ（点灯）又はＯＦＦ（消灯）させるように制御する。そして、演算回路部１７０は、ユーザが画面表示を視認する際の意図的な動作に関連するセンサデータや操作信号等を検知した場合には、図７（ａ）に示すように、予め表示パネル４０Ａに所定の文字情報や画像情報等をモノクロ表示するとともに、表示パネル４０Ｂに連携する文字情報や画像情報等をカラー表示した状態で、バックライト３０２をＯＮ（点灯）させるように制御する。あるいは、演算回路部１７０は、上記のセンサデータや操作信号等を検知した場合には、図７（ａ）に示すように、表示パネル４０Ａに所定の文字情報や画像情報等をモノクロ表示するとともに、演算回路部２７０に所定の連携信号を送信して、表示パネル４０Ｂに連携する文字情報や画像情報等がカラー表示されるように表示部２４０を制御し、さらに、光源部３００のバックライト３０２をＯＮ（点灯）させるように制御する。これにより、表示パネル４０Ｂにバックライト３０２から光が照射されて、表示パネル４０Ａに表示された比較的高い反射率で簡易なモノクロ画像と、表示パネル４０Ｂに表示されたリッチなカラー画像とを、重ね合わせた画像や組み合わせた画像（以下、便宜的に「重合画像」と総称する）がユーザに視認される。一方、演算回路部１７０が、ユーザの意図的な視認動作を検知していない状態では、上述した第２の表示形態と同様に、図７（ｂ）に示すように、バックライト３０２をＯＦＦ（消灯）させるように制御する。あるいは、演算回路部１７０は、ユーザの意図的な視認動作を検知していない状態では、演算回路部２７０に所定の連携信号を送信して、表示パネル４０Ｂにカラー画像を表示しないように表示部２４０を制御するとともに、バックライト３０２をＯＦＦ（消灯）させるように制御する。
【００５４】
このように電子機器１０における第３の表示形態においては、図７に示すように、表示パネル４０Ａにセグメントや図形等により比較的高い反射率で簡易なモノクロ画像が反射型で表示されるとともに、表示パネル４０Ｂにモノクロ画像に連携したリッチなカラー画像が所定のタイミングで表示される。そして、ユーザが電子機器１０の画面表示を視認する意図的な動作を行った場合のみ、バックライト３０２の光が表示パネル４０Ｂに照射されて、ユーザは、表示パネル４０Ａに表示されたモノクロ画像と、表示パネル４０Ｂに表示されたカラー画像とを、重ね合わせた重合画像を視認することができる。このとき、ユーザは、屋外や明るい環境下においても、少なくとも外光の反射を利用して表示を行う表示パネル４０Ａに表示された文字情報や画像情報等を、高いコントラストのモノクロ画像として良好に視認することができる。また同時に、ユーザは、表示パネル４０Ｂに表示された文字情報や画像情報等を、半透過状態に設定された表示パネル４０Ａを介して、リッチなカラー画像として視認することができる。また、第３の表示形態においては、当該表示状態を維持している間、内部回路１００の表示部１４０が低消費電力で表示駆動されるとともに、ユーザが意図的な視認動作をしていない状態では少なくとも光源部３００が電力を消費することがないので、電子機器１０の消費電力を大幅に抑制することができる。
【００５５】
＜電子機器の制御方法＞
次に、本実施形態に係る電子機器の制御方法（情報表示方法）について説明する。ここでは、図１（ａ）に示したような腕時計型やリストバンド型の外観を有する電子機器１０をユーザが手首に装着して、ランニングやウォーキング等の運動時や、日常生活における各種のデータを記録する場合において、各種の情報を表示パネル４０に表示して提供する際の制御方法について説明する。ここで、以下に示す一連の処理動作は、内部回路１００の演算回路部１７０及び内部回路２００の演算回路部２７０において所定のアルゴリズムプログラムを実行することにより実現される。
【００５６】
図９は、本実施形態に係る電子機器の制御方法の一例を示すフローチャートである。図１０は、本実施形態に係る電子機器の制御方法におけるユーザの意図的な視認動作の検知方法の一例を示す概略図である。ここでは、上述した各表示形態（図４〜図８参照）を適宜参照しながら説明する。
【００５７】
本実施形態に係る電子機器の制御方法においては、例えば図９のフローチャートに示すように、まず、ユーザは手首に装着した（又は装着する）電子機器１０について、実行する機能やアプリケーション（ソフトウェア）を設定するとともに、消費電力に関わる動作モードを設定する（ステップＳ１０２）。具体的には、ユーザが電子機器１０の筐体に設けられたボタンスイッチやスライドスイッチ等の入力操作部１３０や、表示パネル４０Ａの視野側に配置されたタッチパネル等の入力操作部２３０を操作することにより、演算回路部１７０、２７０において電子機器１０の消費電力を規定する複数の動作モードのいずれかが設定される。これにより、内部回路１００の演算回路部１７０と内部回路２００の演算回路部２７０とは、相互に連携し、常時又は所定のタイミングで随時通信を行い、設定された動作モードに関する連携信号を送受信する。ここで、本実施形態においては、電子機器１０の動作モードとして、例えば電子機器１０における消費電力を抑制しつつ、各種の機能動作を実行する「パワーセーブモード」と、パフォーマンス（処理速度や画面表示の見栄え等）を重視して各種の機能動作を実行する「通常モード」とが予め用意されていて、ユーザによりいずれかの動作モードが選択されて設定される。
【００５８】
次いで、演算回路部１７０は、ステップＳ１０２において設定された動作モードを判別し（ステップＳ１０４）、その結果に応じて、表示パネル４０における画面表示の表示形態を制御する。具体的には、演算回路部１７０は、まず、ユーザにより設定された動作モードがパワーセーブモードであるか、又は、通常モードであるかを判別する。動作モードがパワーセーブモードである場合には、演算回路部１７０は、表示モード「Ａ」を適用して、設定されている機能やアプリケーションに応じた文字情報や画像情報等を表示パネル４０に低消費電力で表示するように制御する（ステップＳ１１２）。ここで、表示モード「Ａ」においては、上述した第１の表示形態（図４参照）に示したように、視野側の表示パネル４０Ａにセグメントや図形等によりモノクロ画像を半透過状態で表示した状態と、背面側の表示パネル４０Ｂには何も表示せず無反射層として機能させた状態との組み合わせによる画面表示が行われる。すなわち、パワーセーブモードにおいて適用される表示モード「Ａ」においては、視野側の表示パネル４０Ａに単独で文字情報や画像情報等が比較的高い反射率で簡易なモノクロ画像により反射型で表示される（ステップＳ１１４）。このモノクロ画像による画面表示は所定の時間間隔で更新される。
【００５９】
そして、演算回路部１７０は、このパワーセーブモードにおける画面表示の動作中に、ユーザの意図的な視認動作（トリガ）を検知したか否かを常時又は所定の間隔で監視する（ステップＳ１１６）。具体的には、演算回路部１７０は、ユーザが電子機器１０の表示パネル４０の画面表示を視認する際の意図的な動作に関連して、センサ部１１０により取得されるセンサデータや入力操作部１３０からの操作信号等を検知した場合には、後述するステップＳ１０６以降の処理動作を実行して、所定の表示形態でカラー表示を行う。ここで、ユーザの意図的な視認動作として検知される例としては、ボタンスイッチを押下した場合やタッチパネルをタッチした場合、加速度センサやジャイロセンサによる視認動作特有の出力を検出した場合、加速度センサ等で予め規定された特定のジェスチャーやショック（衝撃等）を検出した場合、マイクにより特定のボイスコマンドを入力した場合等を適用することができる。より具体的には、例えば図１０（ｂ）、（ｄ）に示すように、ユーザが電子機器１０を装着した腕を視界の範囲内に持ち上げて、表示パネル４０の画面表示を凝視する際に、加速度センサやジャイロセンサから出力される特定の信号や波形等を検出した場合に、演算回路部１７０はユーザが意図的な視認動作を行ったものと判定する。
【００６０】
一方、ユーザの意図的な視認動作が検知されていない場合には、演算回路部１７０は、表示モード「Ａ」による比較的高い反射率での簡易なモノクロ表示を継続する。すなわち、例えば図１０（ａ）、（ｃ）に示すように、ユーザが電子機器１０を装着した腕を無意識に下げたり振ったりしている状態では、加速度センサやジャイロセンサから出力される信号や波形等に基づいて、演算回路部１７０はユーザが表示パネル４０の画面表示を見ていない（視認動作を行っていない）ものと判定する。この場合、演算回路部１７０は、パワーセーブモードを維持して、低消費電力で表示駆動する表示モード「Ａ」による画面表示を継続する。
【００６１】
動作モードを判別する処理（ステップＳ１０４）において、動作モードが通常モードである場合、あるいは、ステップＳ１１６においてユーザの意図的な視認動作（トリガ）を検知した場合には、演算回路部１７０は、電子機器１０に設定されて実行される機能やアプリケーション等の種別を判別し（ステップＳ１０６）、その結果に応じて、表示パネル４０における画面表示の表示形態を制御する。具体的には、演算回路部１７０は、まず、当該機能やアプリケーション等の種別が、所定の文字情報や画像情報等を、単独のカラー画像で表示する表示形態（以下、「単独カラー表示モード」と記す）に適しているものであるか、又は、モノクロ画像とカラー画像を重ね合わせたり組み合わせたりした重合画像で表示する表示形態（以下、「リッチカラー表示モード」と記す）に適しているものであるかを判別する。ここで、機能やアプリケーション等の種別は、表示パネル４０における画面表示の表示形態に応じて、予め設定されているものであってもよい。実行される機能やアプリケーション等が単独カラー表示モードに適しているものである場合には、演算回路部１７０は、表示モード「Ｂ」を適用して表示パネル４０の消費電力を抑制して表示駆動を行う（ステップＳ１２２）。ここで、表示モード「Ｂ」においては、上述した第２の表示形態（図５、図６参照）に示したように、視野側の表示パネル４０Ａには何も表示しない全透過状態と、背面側の表示パネル４０Ｂにカラー画像を表示した状態との組み合わせによる画面表示が行われる。すなわち、通常モードに適用される表示モード「Ｂ」においては、背面側の表示パネル４０Ｂに単独で文字情報や画像情報等がリッチなカラー画像により表示され、全透過状態の表示パネル４０Ａを透過して表示される（ステップＳ１２４）。このカラー画像による画面表示は所定の時間間隔で更新される。
【００６２】
そして、演算回路部１７０は、この通常のカラー画像による画面表示が、予め設定された制限時間を超過（タイムアウト）したか否かを監視する（ステップＳ１２６）。ここで、制限時間は、ユーザが任意に設定するものであってもよいし、予め設定されたデフォルト値であってもよい。演算回路部１７０は、上記の制限時間を超過するまで通常のカラー画像による画面表示を継続するように、内部回路２００の演算回路部２７０に連携信号を送信する。一方、通常のカラー画像による画面表示が制限時間を超過した場合には、演算回路部１７０は、ステップＳ１０４に戻って、設定されている動作モードに応じて、上述した一連の処理動作を再度実行する。
【００６３】
一方、電子機器１０において実行される機能やアプリケーション等の種別を判別する処理（ステップＳ１０６）において、当該機能やアプリケーション等がリッチカラー表示モードに適しているものである場合には、演算回路部１７０は、表示モード「Ｃ」を適用して高コントラストのモノクロ画像とリッチなカラー画像が重ね合わされて表示（重合表示）されるように表示パネル４０を表示駆動する（ステップＳ１３２）。ここで、表示モード「Ｃ」においては、上述した第３の表示形態（図７、図８参照）に示したように、視野側の表示パネル４０Ａにセグメントや図形等によりモノクロ画像を半透過状態で表示した状態と、背面側の表示パネル４０Ｂにカラー画像を表示した状態との重ね合わせや組み合わせによる画面表示が行われる。すなわち、通常モードに適用される表示モード「Ｃ」においては、視野側の表示パネル４０Ａにセグメントや図形等により、比較的高い反射率で表示される簡易なモノクロ画像と、背面側の表示パネル４０Ｂに表示されるリッチなカラー画像とが重ね合わされて表示される。この重合画像による画面表示は所定の時間間隔で更新される。
【００６４】
そして、演算回路部１７０は、この重合画像による画面表示が、予め設定された制限時間を超過（タイムアウト）したか否かを監視する（ステップＳ１３６）。演算回路部１７０は、上記の制限時間を超過するまで重合画像による画面表示を継続するように、演算回路部２７０に連携信号を送信する。一方、重合画像による画面表示が制限時間を超過した場合には、演算回路部１７０は、ステップＳ１０４に戻って、設定されている動作モードに応じて、上述した一連の処理動作を再度実行する。
【００６５】
なお、図９に示したフローチャートにおいては図示を省略したが、演算回路部１７０、２７０は、上述した一連の処理動作の実行中、処理動作を中断又は終了させる操作や状態の変化を常時監視して、当該操作や状態変化を検出した場合には、処理動作を強制的に終了する。具体的には、演算回路部１７０、２７０は、ユーザによる電子機器１０の電源スイッチのＯＦＦ（電源遮断）操作や、電源部４００における電池残量の低下、実行中の機能やアプリケーションの異常等を検出して、一連の処理動作を強制的に中断して終了する。
【００６６】
このように、本実施形態においては、電子機器１０の動作モードをパワーセーブモードに設定した状態では、表示パネル４０にセグメントや図形等による比較的高い反射率で簡易なモノクロ画像が表示される。そして、電子機器１０を装着したユーザが、表示パネル４０の画面表示を視認する意図的な動作を行った場合にのみ、動作モードがパワーセーブモードから通常モードに移行し（すなわち、表示モードが切り替わり）、所定の表示形態でカラー表示が行われる。通常モードにおいては、電子機器１０において実行される機能やアプリケーション等の種別に応じて、カラー画像単独のリッチなカラー表示、又は、高コントラストのモノクロ画像とリッチなカラー画像の重合画像による表示が行われる。
【００６７】
したがって、本実施形態によれば、ユーザが電子機器を装着していない状態や、装着した状態で画面表示を視認していない場合には低消費電力で高コントラストのモノクロ表示が行われ、ユーザが電子機器の画面表示を視認する意図的な動作を行った場合にのみ所定の表示形態でカラー表示が実行されるので、消費電力を抑制して駆動時間を改善しつつ、所望の情報を多様な表示形態のカラー表示により視認性よく提供することができる。
【００６８】
また、本実施形態によれば、電子機器１０において実行される機能やアプリケーション等の種別に応じて、カラー表示の表示形態が制御されるので、特定の機能やアプリケーション等においてのみ、重合画像による画面表示を実現しつつ、その他の機能やアプリケーション等においては通常のカラー表示を行うことにより、消費電力を抑制することができる。
【００６９】
ここで、本実施形態の作用効果について具体的に検証すると、一般に、カラー表示が可能な表示装置を備えた携帯型の電子機器においては、単一のカラー液晶表示パネルを備えた表示部と、単一演算回路（プロセッサ）とを有している。このような電子機器において、各種の情報を高精細で色彩表現や視覚効果に優れたリッチなカラー画像により表示したり、表示部や外部機器等に、大量のデータを転送したりするためには、本実施形態における演算回路部２７０と同様に、演算処理能力が高く、かつ、消費電力の高い演算回路を適用する必要がある。そして、この演算回路は、ユーザへの各種の情報の提供時だけでなく、種々の機能やアプリケーション等を実行するために、常時駆動している必要があるため、消費電力が著しく大きくなる。そのため、バッテリにより駆動する携帯型の電子機器においては、駆動時間が非常に短くなってしまうという問題を有している。
【００７０】
これに対して、本実施形態においては、低消費電力でモノクロ表示が可能な表示パネル４０Ａと、リッチなカラー表示が可能な表示パネル４０Ｂとを備え、これらの表示パネル４０Ａ、４０Ｂが、各々の表示形態に応じた処理能力を有する独立した演算回路部１７０、２７０により制御される構成を有している。そして、これらの演算回路部１７０、２７０が相互に連携かつ同期して、ユーザによる視認動作時以外の期間においてはカラー表示を行う表示パネル４０Ｂや演算回路部２７０を休止状態に設定することにより、電子機器１０における電力の消費を大幅に抑制して駆動時間を改善することができる。
【００７１】
さらに、本実施形態においては、比較的高い反射率でモノクロ表示が可能な表示パネル４０Ａと、リッチなカラー表示が可能な表示パネル４０Ｂとを視野側から見て重なるように積層した構成を有している。そして、演算回路部１７０、２７０が相互に連携かつ同期して、これらの表示パネル４０Ａ、４０Ｂにおける表示状態を制御することにより、消費電力を抑制しつつ、所望の情報を多様な表示形態で視認性よく提供することができる。
【００７２】
なお、上述した実施形態においては、電子機器１０の動作モードを設定する処理（ステップＳ１０２）においてユーザが電子機器１０の動作モード（パワーセーブモード、通常モード）を任意に設定する場合について説明したが、本発明はこれに限定されるものではない。例えばユーザによる動作モードの設定を行うことなく、デフォルト（初期設定）としてパワーセーブモードに自動的に設定されるものであってもよい。これによれば、初期状態では自動的に低消費電力で高コントラストのモノクロ表示が行われ、ユーザによる画面表示の視認動作を検知した場合のみ、通常モードに移行して、実行される機能やアプリケーション等の種別に応じて、リッチなカラー表示、又は、モノクロ画像とカラー画像の重合画像による表示が行われる。そして、当該機能やアプリケーション等の終了後には再びパワーセーブモードに移行して、低消費電力で高コントラストのモノクロ表示が行われるので、消費電力を抑制しつつ、所望の情報を多様な表示形態で視認性よく提供することができる。
【００７３】
また、上述した実施形態においては、電子機器１０の動作モードとして、パワーセーブモードと通常モードとを予め用意し、ユーザがいずれかの動作モードを選択する場合について説明したが、本発明はこれに限定されるものではなく、さらに他の動作モードを選択できるものであってもよい。
【００７４】
また、上述した実施形態においては、ユーザが電子機器１０の消費電力に関わる動作モード（パワーセーブモード、通常モード）を設定する場合について説明したが、本発明はこれに限定されるものではない。例えばユーザが電子機器１０の表示パネル４０における表示モードを直接設定するものであってもよい。例えば、表示モードとして、上述した表示モード「Ａ」（第１の表示形態；図４参照）に相当するエコモードと、表示モード「Ｂ」（第２の表示形態；図５、図６参照）に相当するカラーモードと、表示モード「Ｃ」（第３の表示形態；図７、図８参照）に相当するコンビネーションモードとを予め用意し、ユーザがいずれかの表示モードを選択して設定する。そして、ユーザによる画面表示の視認動作を検知した場合に、選択した表示モードから他の表示モードに移行するものであってもよい。このような場合においても、上述した実施形態（図９）と同等の処理手順を適用して、消費電力を抑制しつつ、所望の情報を多様な表示形態で視認性よく提供することができる。
【００７５】
また、上述した実施形態においては、表示パネル４０として、モノクロ表示を行う表示パネル４０Ａの表示領域と、カラー表示を行う表示パネル４０Ｂの表示領域とを、視野側から見て完全に、あるいは、略完全に重なるように積層した構成を示したが、本発明はこれに限定されるものではない。本発明に適用される表示パネル４０は、例えば複数の表示パネルが視野側から見て、表示領域が互いに部分的に重なるように配置された構成を有するものであってもよい。このような場合においても、上述した実施形態（図９）と同等の処理手順を適用して、消費電力を抑制しつつ、所望の情報を多様な表示形態で視認性よく提供することができる。
【００７６】
また、上述した実施形態においては、表示パネル４０を構成する視野側の表示パネル４０Ａとして、ＰＮ液晶表示パネルを適用した場合について説明したが、本発明はこれに限定されるものではない。本発明に適用される表示パネル４０Ａは、比較的高い反射率で屋外視認性に優れた反射型表示が可能で、かつ、半透過表示や全透過表示が可能な、低消費電力の表示パネルであればよく、例えばＰＤＬＣ（Polymer Dispersed Liquid Crystal；高分子分散型液晶）等の表示パネルを適用するものであってもよい。また、表示パネル４０を構成する表示パネル４０Ｂについても、ＴＦＴカラー液晶パネルに限定されるものではない。本発明に適用される表示パネル４０Ｂは、高精細で色彩表現や視覚効果に富むカラー表示が可能な表示パネルであればよく、例えば、自発光素子を二次元配列した構成を有する有機ＥＬ（Electroluminescence）パネル等を適用するものであってもよい。この場合には、上述した電子機器１０（図２、図３参照）は光源部３００を省略した構成を適用することができる。
【００７７】
また、上述した実施形態において、電子機器１０は、腕時計型やリストバンド型の外観を有してユーザの身体に装着されるスポーツウォッチやスマートウォッチ、ユーザが手に持って使用するスマートフォンや携帯電話機、及び、登山等でユーザがアウトドアで使用する携帯機器、のいずれかであるとしたが、更に、例えば、電子機器１０が、画像を撮影する撮影部と撮影画像を表示する表示部とを有するデジタルカメラにおける機器本体部であってもよい。この場合、例えば機器本体部が撮影部と接続されていて撮影部が撮影を行っていないときには、表示パネル４０Ａでカメラのアイコンをモノクロ表示して、表示パネル４０Ｂによる表示を行わず、撮影部が撮影を行っているとき、あるいは、撮影結果を表示するときだけ表示パネル４０Ｂによるカラー表示を行うように制御してもよい。あるいは、更に、撮影部が撮影を行っているとき、あるいは、撮影結果を表示するときであって、ユーザが表示部の画像を視認する意図的な動作を行ったときにだけ表示パネル４０Ｂによるカラー表示を行う、あるいはバックライト３０２をＯＮさせるように制御してもよい。
【００７８】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【００７９】
（付記）
［１］
表示装置であって、
第１の表示領域を有する第１の表示パネルと、
前記第１の表示パネルの表示状態を制御する第１の演算回路部と、
第２の表示領域を有する第２の表示パネルと、
前記第１の演算回路部と連携して、前記第２の表示パネルの表示状態を制御する第２の演算回路部と、
前記表示装置の空間的な動きを検知する検知部と、
を有し、
前記第１の演算回路部及び前記第２の演算回路部の少なくともいずれか一方は、前記検知部による検知の結果に応じて、前記第１の表示パネルと前記第２の表示パネルとによる表示画像の表示形態を切り替えることを特徴とする表示装置。
【００８０】
［２］
前記第１の表示パネルの前記第１の表示領域と前記第２の表示パネルの前記第２の表示領域とは、利用者の視野側から見て少なくとも一部が互いに重なり合うように配置され、
前記表示形態として、前記第１の表示パネルによる第１の画像のみを表示する第１の表示形態と、前記第２の表示パネルによる第２の画像のみを表示する第２の表示形態と、前記第１の表示パネルによる前記第１の画像と前記第２の表示パネルによる前記第２の画像とを重ね合わせた第３の画像を表示する第３の表示形態と、を有することを特徴とする［１］に記載の表示装置。
【００８１】
［３］
前記第１の演算回路部及び前記第２の演算回路部は、
前記検知部により前記第１の表示パネル及び前記第２の表示パネルに対する利用者の意図的な動作に対応する特定の動き方が検知されていない状態では、前記表示形態を前記第１の表示形態に設定し、
前記検知部により前記特定の動き方が検知されたときに、前記表示形態を前記第２の表示形態又は前記第３の表示形態に設定するように制御することを特徴とする［２］に記載の表示装置。
【００８２】
［４］
前記第２の演算回路部は、前記表示形態が前記第１の表示形態に設定された場合には、休止状態に設定されることを特徴とする［２］又は［３］に記載の表示装置。
【００８３】
［５］
前記第１の表示パネルの前記第１の表示領域は前記第２の表示パネルの前記第２の表示領域に対して利用者の視野側に配置され、
前記第１の演算回路部及び前記第２の演算回路部は、
前記第１の表示形態において、前記第１の表示パネルの前記第１の表示領域に前記第１の画像を表示させるとともに、前記第２の表示パネルの前記第２の表示領域に画像を表示しないように制御し、
前記第２の表示状態において、前記第１の表示パネルの前記第１の表示領域全体を透過状態に設定するとともに、前記第２の表示パネルの前記第２の表示領域に前記第２の画像を表示させるように制御し、
前記第３の表示状態において、前記第１の表示パネルの前記第１の表示領域に前記第１の画像を表示させて、前記第１の表示領域の前記第１の画像を表示していない領域を透過状態にするとともに、前記第２の表示パネルの前記第２の表示領域に前記第２の画像を表示させるように制御することを特徴とする［２］乃至［４］のいずれかに記載の表示装置。
【００８４】
［６］
前記検知部は第１の演算回路部により制御されていることを特徴とする［１］乃至［５］のいずれかに記載の表示装置。
【００８５】
［７］
前記第１の表示パネル及び前記第１の演算回路部が動作しているときの消費電力は、第２の表示パネル及び前記第２の演算回路部が動作しているときの消費電力より小さいことを特徴とする［１］乃至［６］のいずれかに記載の表示装置。
【００８６】
［８］
前記第１の表示パネルは、外光を反射させることにより画像をモノクロで表示する機能を有し、
前記第２の表示パネルは、画像をカラーで表示する機能を有することを特徴とする［１］乃至［７］のいずれかに記載の表示装置。
【００８７】
［９］
第１の表示領域を有する第１の表示パネルと、前記第１の表示パネルの表示状態を制御する第１の演算回路部と、第２の表示領域を有する第２の表示パネルと、前記第１の演算回路部と連携して、前記第２の表示パネルの表示状態を制御する第２の演算回路部と、を有する表示装置と、
前記表示装置の空間的な動きを検知する検知部と、
を備え、
前記表示装置の前記第１の演算回路部及び前記第２の演算回路部の少なくともいずれか一方は、前記検知部による検知の結果に応じて、前記第１の表示パネルと前記第２の表示パネルとによる表示画像の表示形態を切り替えることを特徴とする電子機器。
【００８８】
［１０］
前記第１の表示パネルの前記第１の表示領域と前記第２の表示パネルの前記第２の表示領域とは、利用者の視野側から見て少なくとも一部が互いに重なり合うように配置され、
前記表示形態として、前記第１の表示パネルによる第１の画像のみを表示する第１の表示形態と、前記第２の表示パネルによる第２の画像のみを表示する第２の表示形態と、前記第１の表示パネルによる前記第１の画像と前記第２の表示パネルによる前記第２の画像とを重ね合わせた第３の画像を表示する第３の表示形態と、を有することを特徴とする［９］に記載の電子機器。
【００８９】
［１１］
前記表示装置の前記第１の演算回路部及び前記第２の演算回路部は、
前記検知部により前記第１の表示パネル及び前記第２の表示パネルに対する利用者の意図的な動作に対応する特定の動き方が検知されていない状態では、前記第１の表示パネル及び前記第２の表示パネルを前記第１の表示形態に設定し、
前記検知部により前記特定の動き方が検知されたときに、前記第１の表示パネル及び前記第２の表示パネルを前記第２の表示形態又は前記第３の表示形態に設定するように制御することを特徴とする［１０］に記載の電子機器。
【００９０】
［１２］
前記第１の表示パネルの前記第１の表示領域は前記第２の表示パネルの前記第２の表示領域に対して利用者の視野側に配置され、
前記第１の演算回路部及び前記第２の演算回路部は、
前記第１の表示形態において、前記第１の表示パネルの前記第１の表示領域に前記第１の画像を表示させるとともに、前記第２の表示パネルの前記第２の表示領域に画像を表示しないように制御し、
前記第２の表示状態において、前記第１の表示パネルの前記第１の表示領域全体を透過状態に設定するとともに、前記第２の表示パネルの前記第２の表示領域に前記第２の画像を表示させるように制御し、
前記第３の表示状態において、前記第１の表示パネルの前記第１の表示領域に前記第１の画像を表示させて、前記第１の表示領域の前記第１の画像を表示していない領域を透過状態にするとともに、前記第２の表示パネルの前記第２の表示領域に前記第２の画像を表示させるように制御することを特徴とする［１０］又は［１１］に記載の電子機器。
【００９１】
［１３］
第１の表示領域を有する第１の表示パネルと、利用者の視野側から見て前記第１の表示領域と少なくとも一部が互いに重なり合うように配置された第２の表示領域を有する第２の表示パネルと、を有する表示部に、前記第１の表示パネルの表示状態と前記第２の表示パネルの表示状態とを組み合わせた表示画像を表示し、
前記第１の表示パネル及び前記第２の表示パネルの空間的な動きを検知し、
前記検知の結果に応じて、前記第１の表示パネルと前記第２の表示パネルとによる前記表示画像の表示形態を切り替えることを特徴とする電子機器の制御方法。
【００９２】
［１４］
コンピュータに、
第１の表示領域を有する第１の表示パネルと、利用者の視野側から見て前記第１の表示領域と少なくとも一部が互いに重なり合うように配置された第２の表示領域を有する第２の表示パネルと、を有する表示部に、前記第１の表示パネルの表示状態と前記第２の表示パネルの表示状態とを組み合わせた表示画像を表示させ、
前記第１の表示パネル及び前記第２の表示パネルの空間的な動きを検知させ、
前記検知の結果に応じて、前記第１の表示パネルと前記第２の表示パネルとによる前記表示画像の表示形態を切り替えさせることを特徴とする電子機器の制御プログラム。
【符号の説明】
【００９３】
１０      電子機器
４０      表示パネル
４０Ａ、４０Ｂ    表示パネル
１００、２００    内部回路
１１０    センサ部
１２０    ＧＰＳ機能部
１３０、２３０    入力操作部
１４０、２４０    表示部
１７０、２７０    演算回路部
３００    光源部
３０２    バックライト
４００    電源部
【図１】
2016059751.tif 000003
【図２】
2016059751.tif 000004
【図３】
2016059751.tif 000005
【図４】
2016059751.tif 000006
【図５】
2016059751.tif 000007
【図６】
2016059751.tif 000008
【図７】
2016059751.tif 000009
【図８】
2016059751.tif 000010
【図９】
2016059751.tif 000011
【図１０】
2016059751.tif 000012